(57)【特許請求の範囲】
【請求項１】
水圧発生ポンプによって発生させた高圧水をホースの先端に取り付けた高圧水射出ガンから射出させ、その高圧水を被洗浄物に当てて洗浄を行う高圧水洗浄機に接続したホースを巻き取るホースリールを高圧水洗浄機に取り付ける取付装置であって、
ホースリールの保持枠体の高圧水洗浄機側の枠体の下部に設けた、高圧水洗浄機の側面下部のブラケットに穿設した係止孔に挿入し得る係止棒と、
ホースリールの保持枠体の側面上部に設けた、高圧水洗浄機の上面側部の取っ手に係止する係止部材とよりなり、
前記係止部材は、先端部に前記取っ手に嵌合する逆Ｕ字状部が形成され、この逆Ｕ字状部に嵌合された前記取っ手が外れないように逆Ｕ字状部の開口を塞開自在な閂棒を設けて形成された、
ことを特徴とする高圧水洗浄機へのホースリール取付装置。
【発明の詳細な説明】
【０００１】
【発明の属する技術分野】
本発明は、水圧発生ポンプによって発生させた高圧水をホースの先端に取り付けた高圧水射出ガンから射出させ、その高圧水を被洗浄物に当てて洗浄を行う高圧水洗浄機に接続したホースを巻き取るホースリールを高圧水洗浄機に取り付け、取り外し自在にした高圧水洗浄機へのホースリール取付装置に関するものである。
【０００２】
【従来の技術】
現在市販されている高圧水洗浄機には、オプション設定として高圧水洗浄機の上面に載置固定するタイプと、地面に設置するタイプの２種類のホースリールがあった。
【０００３】
【発明が解決しようとする課題】
しかし、前記高圧水洗浄機の上面に載置固定するタイプのホースリールは、高圧水洗浄機の上側にホースリールをビス等で固定するため、ホースリールを一度取り付けると、通常は取り外すことはない。従って、高圧水洗浄機の吊り下げ時には、良好な吊り下げバランスを崩すことになり危険であった。
また、高圧水洗浄機の上面にホースリールを固定するため、高圧水洗浄機の段積みが不可能になり、また、上面にホースリールを固定した高圧水洗浄機をワンボックスカー等の屋根付き車両に積み込む時に、ホースリールが車両の天井に当たらないようにしなければならないので困難を来す。
また、地面に設置するタイプのホースリールは、それが地面に固定されていないため、ホースの引き出し時にホースを引っ張ると、ホースリールごと移動してしまう。また、ホースの巻き取り時にホースリールの枠体を手や足で固定しないと巻き取りが困難である、といった問題があった。
本発明は、このような問題を解決した高圧水洗浄機へのホースリール取付装置を提供することを目的とするものである。
【０００４】
【課題を解決するための手段】
前記目的を達成するために、請求項１に係る発明は、水圧発生ポンプによって発生させた高圧水をホースの先端に取り付けた高圧水射出ガンから射出させ、その高圧水を被洗浄物に当てて洗浄を行う高圧水洗浄機に接続したホースを巻き取るホースリールを高圧水洗浄機に取り付ける取付装置であって、
ホースリール１の保持枠体２の高圧水洗浄機側の枠体の下部２ａに設けた、高圧水洗浄機３の側面下部のブラケット４に穿設した係止孔４ａに挿入し得る係止棒５と、ホースリール１の保持枠体２の側面上部２ｂに設けた、高圧水洗浄機３の上面側部の取っ手６に係止する係止部材７とよりなり、前記係止部材７は、先端部に前記取っ手６に嵌合する逆Ｕ字状部７ａが形成され、前記逆Ｕ字状部７ａに嵌合された取っ手６が外れないように逆Ｕ字状部７ａの開口を塞開自在な閂棒７ｂを設けて形成されたことを特徴とする高圧水洗浄機へのホースリール取付装置としたものである。
このホースリールを高圧水洗浄機に取り付けるには、ホースリール１の保持枠体２の高圧水洗浄機側の枠体の下部２ａに設けた係止棒５を、高圧水洗浄機３の側面下部のブラケット４に穿設した係止孔４ａに挿入して係止する。
また、ホースリール１の保持枠体２の側面上部２ｂに設けた前記係止部材７の逆Ｕ字状部７ａを、高圧水洗浄機３の上面側部の取っ手６に嵌合し、逆Ｕ字状部７ａの開口を前記閂棒７ｂで塞ぐことにより、係止部材７が外れないように係止されて、ホースリール１を高圧水洗浄機３に取り付けることができる。ホースリール１を高圧水洗浄機３から取り外すには、前記と逆の操作によって簡単に取り外すことができる。
【０００５】
【発明の実施の形態】
以下、本発明に係る高圧水洗浄機へのホースリール取付装置の実施の形態を、図面を参照して詳細に説明する。
図１の（ａ）はホースリールを高圧水洗浄機に取り付ける途中を示す図、同（ｂ）は取り付け完了した状態を示す図、図２はホースリールの保持枠の側面上部に設けた係止部材を、高圧水洗浄機の上面側部の取っ手に取り付ける構造の詳細図であり、図３はホースリールの保持枠の高圧水洗浄機側の枠体の下部に設けた下方向き係止棒と、高圧水洗浄機の側面下部に設け、前記係止棒が挿入される係止孔が穿設されたブラケットとを示す斜視図である。
【０００６】
本発明の高圧水洗浄機へのホースリール取付装置は、図１に示すように、ホースリール１の保持枠体２の高圧水洗浄機側の枠体の下部２ａに、高圧水洗浄機３の側面下部のブラケット４に穿設した係止孔４ａ（図３参照）に上方から挿入し得る下方向き係止棒５が設けられている。また、ホースリール１の保持枠体２の側面上部２ｂに、高圧水洗浄機３の上面側部の取っ手６に係止する係止部材７が設けられている。前記係止部材７は、図２に詳細に示すように、先端部に前記取っ手６に上方から嵌合する逆Ｕ字状部７ａが形成され、前記逆Ｕ字状部７ａに嵌合された取っ手６が外れないように逆Ｕ字状部７ａの開口を塞開自在な閂棒７ｂを設けて形成されて、高圧水洗浄機へのホースリール取付装置が構成されている。
【０００７】
ホースリール取付装置は、このように構成されているので、ホースリールを高圧水洗浄機３に取り付けるには、ホースリール１の保持枠体２の高圧水洗浄機側の枠体の下部２ａに設けた下方向きの係止棒５を、高圧水洗浄機３の側面下部のブラケット４に穿設した係止孔４ａに上方から挿入して係止する。図３ではブラケット４をコの字状に形成して、係止孔４ａをコの字状片に上下２個設けることにより、前記係止棒５の振れやガタを防止している。
一方、ホースリール１の保持枠体２の側面上部２ｂに設けた前記係止部材７の逆Ｕ字状部７ａを、高圧水洗浄機３の上面側部の取っ手６に上方から嵌合し、前記逆Ｕ字状部７ａの開口を前記閂棒７ｂで塞ぐことにより、係止部材７が外れないように係止されて、ホースリール１を高圧水洗浄機３に簡単に取り付けることができる。
【０００８】
なお、前記ホースリール１の保持枠体２の高圧水洗浄機側の枠体の下部２ａに設けた下方向きの係止棒５は、前記保持枠体２の下端より下方に突き出さないように設定しているので、このホースリールを地面に設置して使用することもできる。
また、前記閂棒７ｂは、図２に詳細に示すように、逆Ｕ字状部７ａの開口を塞開し得るように摺動自在に設けられ、閂棒７ｂの中間部に軸方向と直行する方向にノブ７ｃが設けられ、このノブ７ｃと閂棒７ｂの摺動保持部７ｄとの間にコイルスプリング７ｅが縮設されており、このコイルスプリング７ｅに抗して閂棒７ｂを前進させて、前記逆Ｕ字状部７ａの開口を前記閂棒７ｂで塞いだときに、その状態を維持するように、前記ノブ７ｃが係止する係止部７ｆと、前記閂棒７ｂがコイルスプリング７ｅの付勢力によって前記逆Ｕ字状部７ａの開口を開くように後退するときに前記ノブ７ｃが摺動案内される案内溝７ｇとが形成されている。
【０００９】
なお、図１に示す、符号８はホースリール１に巻き取られたホース、９はホースリール１を回転させるハンドル、１０はホースリール１に巻き取られたホース８の内端と連通した連結口１１と高圧水洗浄機３の吐水口１２とを連結した連結ホースであり、図示しないが連結ホース１０のそれぞれの連結部はコネクターで容易に取り外れないように締め付けられている。１３はホース８の外端（先端）に取り付けた高圧水射出ガンである。１４は水圧計等が設けられたパネルである。また、図示しないが、高圧水洗浄機３内には、水圧発生ポンプや水圧発生ポンプを駆動する駆動源であるエンジン等が備えられている。図４は他の実施の形態を示す図であり、高圧水洗浄機３の上面側部に横方向に設けた取っ手６に、ホースリール１の保持枠体２の側面上部２ｂに設けた係止部材７を係止するようにしたもので、この係止部材７の構造は、先の実施の形態と同じである。
【００１０】
図５は、高圧水洗浄機３の上面側部に垂直方向に設けた取っ手６に、ホースリール１の保持枠体２の側面上部２ｂに設けた係止部材７を係止するようにした、前記係止部材７の他の実施の形態を示すもので、係止部材７の逆Ｕ字状部７ａを、高圧水洗浄機３の上面側部の取っ手６に上方から嵌合し、前記逆Ｕ字状部７ａの開口を閂棒７ｂ′で塞ぐことにより、係止部材７が外れないように係止される、前記閂棒７ｂ′の一端部７ｂ１に穿設した長孔７ｂ２に挿入した蝶ボルト７ｈを前記逆Ｕ字状部７ａの開口の一端部に螺合し、前記子閂棒７ｂ′の他端部７ｂ３に、前記逆Ｕ字状部７ａの開口の他端部に設けたピン７ｉに嵌合する凹部７ｂ４を形成して、前記係止部材７が構成されている。
【００１１】
図５の（ａ）は、前記係止部材７の逆Ｕ字状部７ａを高圧水洗浄機３の取っ手６に嵌合し、逆Ｕ字状部７ａの開口を前記閂棒７ｂ′で塞いで、前記取っ手６から係止部材７が外れないようにした状態を示す。図５の（ｂ）は、前記蝶ボルト７ｈを緩め、閂棒７ｂ′を垂直に回動させて逆Ｕ字状部７ａの開口を開いて、前記係止部材７が高圧水洗浄機３の取っ手６から外れるようにしたものである。
【００１２】
【発明の効果】
以上に説明したように、請求項１に係る発明は、ホースリールの保持枠体の高圧水洗浄機側の枠体の下部に設けた、高圧水洗浄機の側面下部のブラケットに穿設した係止孔に挿入し得る係止棒と、ホースリールの保持枠体の側面上部に設けた、高圧水洗浄機の上面側部の取っ手に係止する係止部材とよりなり、前記係止部材は、先端部に前記取っ手に嵌合する逆Ｕ字状部が形成され、この逆Ｕ字状部に嵌合された前記取っ手が外れないように逆Ｕ字状部の開口を塞開自在な閂棒を設けて形成された高圧水洗浄機へのホースリール取付装置としたので、ホースリールの着脱が容易であるため、高圧水洗浄機からホースリールを取り外しておけば、高圧水洗浄機の吊り下げ時、段積み時、保管時、車載時の問題点が解決できる。
また、ホースリールを高圧水洗浄機に固定することにより、ホースの引き出し、巻き取り時にホースリールの浮き上がりや移動が防止できる。
【図面の簡単な説明】
【図１】本発明の実施の形態を示す図であり、（ａ）はホースリールを高圧水洗浄機に取り付ける途中を示す図、（ｂ）は取り付け完了した状態を示す図である。
【図２】ホースリールの保持枠の側面上部に設けた係止部材を、高圧水洗浄機の上面側部の取っ手に取り付ける構造の詳細図である。
【図３】ホースリールの保持枠の高圧水洗浄機側の枠体の下部に設けた係止棒と、高圧水洗浄機の側面下部に設け、前記係止棒が挿入される係止孔が穿設されたブラケットとを示す斜視図である。
【図４】高圧水洗浄機の上面側部に横方向に設けた取っ手に、ホースリールの係止部材を係止するようにした実施の形態を示す図である。
【図５】高圧水洗浄機の上面側部に設けた取っ手にホースリールの係止部材を係止する他の実施の形態を示す図である。
【符号の説明】
１      ホースリール
２      保持枠体
２ａ    高圧水洗浄機側の枠体の下部
２ｂ    側面上部
３      高圧水洗浄機
４      ブラケット
４ａ    係止孔
５      係止棒
６      取っ手
７      係止部材
７ａ    逆Ｕ字状部
７ｂ    閂棒
７ｂ′  閂棒
７ｂ１  一端部
７ｂ２  長孔
７ｂ３  他端部
７ｂ４  凹部
７ｃ    ノブ
７ｄ    摺動保持部
７ｅ    コイルスプリング
７ｆ    係止部
７ｇ    案内溝
７ｉ    ピン
７ｈ    蝶ボルト
８      ホース
９      ハンドル
１０    連結ホース
１１    連結口
１２    吐水口
１３    高圧水射出ガン
１３ａ  射出水調整部
１４    パネル
【図１】
0004482905.tif 000002
【図２】
0004482905.tif 000003
【図３】
0004482905.tif 000004
【図４】
0004482905.tif 000005
【図５】
0004482905.tif 000006